(57)【要約】  本開示の送信装置は、レガシプリアンブル、非レガシプリアンブル、データフィールドおよびパケット拡張フィールドを含む送信信号を動作の際に生成する送信信号生成部と、生成された送信信号を動作の際に送信する送信部と、を備え、非レガシプリアンブルは、第１の信号フィールドと第２の信号フィールドとを備え、第２の信号フィールドは、１つ以上の端末局向けのＲＵ割当情報を搬送する共通フィールドと１つ以上の端末局向けのユーザ別割当情報を搬送するユーザ固有フィールドとを備え、１つ以上の端末局は、１つのグループまたは２つのグループに分類され、１つ以上の端末局が第１のグループと第２のグループとに分類される場合に、第１のグループは、データフィールド内のＯＦＤＭシンボルのすべてにわたるＦＥＣ符号化ビットを有する少なくとも１つの端末局を備える一方で、第２のグループは、データフィールド内のＯＦＤＭシンボルの一部のみにわたるＦＥＣ符号化ビットを有する１つ以上の端末局を備える。【選択図】  図９
2019502309.tif 000002
【特許請求の範囲】
【請求項１】
レガシプリアンブル、非レガシプリアンブル、データフィールドおよびパケット拡張フィールドを含む送信信号を動作の際に生成する送信信号生成部と、前記生成された前記送信信号を動作の際に送信する送信部と、を備え、前記非レガシプリアンブルは、第１の信号フィールドと第２の信号フィールドとを備え、前記第２の信号フィールドは、１つ以上の端末局向けのＲＵ割当情報を搬送する共通フィールドと前記１つ以上の端末局向けのユーザ別割当情報を搬送するユーザ固有フィールドとを備え、前記１つ以上の端末局は、１つのグループまたは２つのグループに分類され、前記１つ以上の端末局が第１のグループと第２のグループとに分類される場合に、前記第１のグループは、前記データフィールド内の前記ＯＦＤＭシンボルのすべてにわたるＦＥＣ符号化ビットを有する少なくとも１つの端末局を備える一方で、前記第２のグループは、前記データフィールド内の前記ＯＦＤＭシンボルの一部のみにわたるＦＥＣ符号化ビットを有する１つ以上の端末局を備える、送信装置。
【請求項２】
前記１つ以上の端末局が前記第１のグループと前記第２のグループとに分類される場合に、前記第１のグループ中の前記１つ以上の端末局の各々について、前記第１のグループについてのａ係数値によって示される、前記データフィールド内の最後の１つ以上のＯＦＤＭシンボルにおける境界に向かって前ＦＥＣパディングを行って、この前ＦＥＣパディング部は前記データフィールドに含まれる一方で、前記第２のグループ中の前記１つ以上の端末局の各々について、前記第２のグループについてのａ係数値によって示される、前記第２のグループについての前記データフィールド内の最後の１つ以上の有用なＯＦＤＭシンボルにおける境界に向かって前記前ＦＥＣパディングを行って、前記前ＦＥＣパディング部は前記データフィールドに含まれ、前記第２のグループについての前記データフィールド内の前記有用なＯＦＤＭシンボルは、前記第２のグループ中の少なくとも１つの端末局についてのＦＥＣ符号化ビットを含む前記データフィールド内のＯＦＤＭシンボルを指す、請求項１に記載の送信装置。
【請求項３】
前記１つ以上の端末局が１つのグループに分類される場合、前記１つ以上の端末局の各々について、共通ａ係数値によって示される、前記データフィールドの最後の１つ以上のＯＦＤＭシンボルの境界に向かって前ＦＥＣパディングを行う、請求項１に記載の送信装置。
【請求項４】
前記第１の信号フィールドは、前記１つ以上の端末局が１つのグループに分類されるのか、２つのグループに分類されるのかを示すシグナリングサブフィールドを含む、請求項１に記載の送信装置。
【請求項５】
前記１つ以上の端末局が前記第１のグループと前記第２のグループとに分類される場合、前記第２の信号フィールドで搬送されるユーザ別割当情報は、前記１つ以上の端末局の各々が前記第１のグループと前記第２のグループとのいずれに属するかを示すシグナリングを含む、請求項１に記載の送信装置。
【請求項６】
前記１つ以上の端末局が１つのグループに分類される場合、前記送信装置は
制御回路をさらに備えており、前記制御回路は、
各ユーザについての初期ユーザ固有ａ係数値と前記ＨＥデータフィールド内のＯＦＤＭシンボルの初期ユーザ固有数とを計算する工程と、
最長符号化パケット期間を有する初期ユーザを各ユーザについての前記初期ユーザ固有ａ係数値と前記ＨＥデータフィールド内のＯＦＤＭシンボルの前記初期ユーザ固有数とに基づいて決定して、前記ＨＥデータフィールド内のＯＦＤＭシンボルの初期最大数と初期共通ａ係数値とを、前記最長符号化パケット期間を有する前記初期ユーザにしたがって計算する工程と
によって、パディングおよびパケット拡張関連パラメータを動作の際に計算する、請求項１に記載の送信装置。
【請求項７】
前記１つ以上の端末局が１つのグループに分類される場合、前記送信装置は
制御回路をさらに備えており、前記制御回路は、
各ユーザについての前記ＨＥデータフィールド内のＯＦＤＭシンボルの初期ユーザ固有数を計算して、前記ＨＥデータフィールド内のＯＦＤＭシンボルの初期最大数を各ユーザについての前記ＨＥデータフィールド内のＯＦＤＭシンボルの前記初期ユーザ固有数に基づいて計算する工程と、
初期共通ａ係数値を前記ＨＥデータフィールド内のＯＦＤＭシンボルの前記初期最大数に基づいて計算する工程と
によって、パディングおよびパケット拡張関連パラメータを動作の際に計算する、請求項１に記載の送信装置。
【請求項８】
前記１つ以上の端末局が１つのグループに分類される場合、前記送信装置は
制御回路をさらに備えており、前記制御回路は、
最長符号化パケット期間を有する初期ユーザを決定する工程と、
前記ＨＥデータフィールド内のＯＦＤＭシンボルの初期最大数と初期共通ａ係数値とを、前記最長符号化パケット期間を有する前記初期ユーザにしたがって計算する工程と
によって、パディングおよびパケット拡張関連パラメータを動作の際に計算する、請求項１に記載の送信装置。
【請求項９】
前記計算する工程は、
各ユーザについての前ＦＥＣパディングビットの数を前記ＨＥデータフィールド内のＯＦＤＭシンボルの前記初期最大数と前記初期共通ａ係数値とに基づいて計算する工程と、
前記ＨＥデータフィールド内のＯＦＤＭシンボルの最終共通数と最終共通ａ係数値とを前記ＨＥデータフィールド内のＯＦＤＭシンボルの前記初期最大数と前記初期共通ａ係数値とに基づいて計算する工程と、
各ユーザについての最後の１つ以上のシンボルの各々の後ＦＥＣパディングビットの数を前記最終共通ａ係数値に基づいて計算する工程と、
前記パケット拡張フィールドの共通期間を前記最終共通ａ係数値にしたがって計算するする工程と
を含む、請求項６に記載の送信装置。
【請求項１０】
前記１つ以上の端末局が前記第１のグループと前記第２のグループとに分類される場合、前記送信装置は
制御回路をさらに備えており、前記制御回路は、
各ユーザについての前記ＨＥデータフィールド内のＯＦＤＭシンボルの初期ユーザ固有数を計算して、前記ＨＥデータフィールド内のＯＦＤＭシンボルの初期最大数を各ユーザについての前記ＨＥデータフィールド内のＯＦＤＭシンボルの前記初期ユーザ固有数に基づいて計算する工程と、
シングルユーザ送信に対して指定されるＲＵでマルチプレックスされる前記ユーザを前記ユーザの各々についての前記ＨＥデータフィールド内のＯＦＤＭシンボルの前記初期ユーザ固有数と前記ＨＥデータフィールド内のＯＦＤＭシンボルの前記初期最大数とに基づいて前記第１のグループと前記第２のグループとに分類する工程と、
ＭＵ−ＭＩＭＯ送信に対して指定されるＲＵでマルチプレックスされる前記ユーザを前記ユーザの各々についての前記ＨＥデータフィールド内のＯＦＤＭシンボルの前記初期ユーザ固有数と前記ＨＥデータフィールド内のＯＦＤＭシンボルの前記初期最大数とに基づいて前記第１のグループと前記第２のグループとに分類する工程と
によって、パディングおよびパケット拡張関連パラメータを動作の際に計算する、請求項１に記載の送信装置。
【請求項１１】
前記１つ以上の端末局が前記第１のグループと前記第２のグループとに分類される場合、前記送信装置は制御回路をさらに備えており、前記制御回路は、
前記第１のグループ中の各ユーザについての初期ユーザ固有ａ係数値と前記ＨＥデータフィールド内のＯＦＤＭシンボルの初期ユーザ固有数とを計算する工程と、
最長符号化パケット期間を有する前記第１のグループ中の初期ユーザを前記第１のグループ中の各ユーザについての前記初期ユーザ固有ａ係数値と前記ＨＥデータフィールド内のＯＦＤＭシンボルの前記初期ユーザ固有数とに基づいて決定して、前記第１のグループについての前記ＨＥデータフィールド内のＯＦＤＭシンボルの初期最大数と初期共通ａ係数値とを前記最長符号化パケット期間を有する前記第１のグループ中の前記初期ユーザにしたがって計算する工程と
によって、パディングおよびパケット拡張関連パラメータを動作の際に計算する、請求項１に記載の送信装置。
【請求項１２】
前記１つ以上の端末局が前記第１のグループと前記第２のグループとに分類される場合、前記送信装置は制御回路をさらに備えており、前記制御回路は、
前記第１のグループ中の各ユーザについての前記ＨＥデータフィールド内のＯＦＤＭシンボルの初期ユーザ固有数を計算して、前記ＨＥデータフィールド内のＯＦＤＭシンボルの初期最大数を前記第１のグループ中の各ユーザについての前記ＨＥデータフィールド内のＯＦＤＭシンボルの前記初期ユーザ固有数に基づいて計算する工程と、
前記第１のグループについての初期共通ａ係数値を前記ＨＥデータフィールド内のＯＦＤＭシンボルの前記初期最大数に基づいて計算する工程と
によって、パディングおよびパケット拡張関連パラメータを動作の際に計算する、請求項１に記載の送信装置。
【請求項１３】
前記１つ以上の端末局が前記第１のグループと前記第２のグループとに分類される場合、前記送信装置は制御回路をさらに備えており、前記制御回路は、
最長符号化パケット期間を有する前記第１のグループ中の初期ユーザを決定する工程と、
前記ＨＥデータフィールド内のＯＦＤＭシンボルの初期最大数と前記第１のグループについての初期共通ａ係数値とを前記最長符号化パケット期間を有する前記第１のグループ中の前記初期ユーザにしたがって計算する工程と
によって、パディングおよびパケット拡張関連パラメータを動作の際に計算する、請求項１に記載の送信装置。
【請求項１４】
前記計算する工程は、
前記第１のグループ中の各ユーザについての前ＦＥＣパディングビットの数を前記第１のグループについての前記初期共通ａ係数値と前記ＨＥデータフィールド内のＯＦＤＭシンボルの前記初期最大数とに基づいて計算する工程と、
前記ＨＥデータフィールド内のＯＦＤＭシンボルの最終共通数と前記第１のグループについての最終共通ａ係数値とを前記ＨＥデータフィールド内のＯＦＤＭシンボルの前記初期最大数と前記第１のグループについての前記初期共通ａ係数値とに基づいて計算する工程と、
前記第１のグループ中の各ユーザについての最後の１つ以上のシンボルの各々の後ＦＥＣパディングビットの数を前記第１のグループについての前記最終共通ａ係数値に基づいて計算する工程と、
前記パケット拡張フィールドの共通期間を前記第１のグループについての前記最終共通ａ係数値にしたがって計算する工程と
を含む、請求項１１に記載の送信装置。
【請求項１５】
前記１つ以上の端末局が前記第１のグループと前記第２のグループとに分類される場合、前記送信装置は制御回路をさらに備えており、前記制御回路は、
前記第２のグループ中の各ユーザについての初期ユーザ固有ａ係数値を計算する工程と、
最長符号化パケット期間を有する前記第２のグループ中の初期ユーザを前記第２のグループ中の各ユーザについての前記初期ユーザ固有ａ係数値と前記第２のグループについての前記ＨＥデータフィールド内の有用なＯＦＤＭシンボルの初期最大数とに基づいて決定して、前記第２のグループについての初期共通ａ係数値を前記最長符号化パケット期間を有する前記第２のグループ中の前記初期ユーザにしたがって計算する工程と、
前記第２のグループ中の各ユーザについての前ＦＥＣパディングビットの数を前記第２のグループについての前記ＨＥデータフィールド内の有用なＯＦＤＭシンボルの前記初期最大数と前記第２のグループについての前記初期共通ａ係数値とに基づいて計算する工程と、
前記第２のグループについての前記ＨＥデータフィールド内の有用なＯＦＤＭシンボルの最終共通数と前記第２のグループについての最終共通ａ係数値とを前記第２のグループについての前記ＨＥデータフィールド内の有用なＯＦＤＭシンボルの前記初期最大数と前記第２のグループについての前記初期共通ａ係数値とに基づいて計算する工程と、
前記第２のグループ中の各ユーザについての後ＦＥＣパディングビットの数を前記第２のグループについての前記最終共通ａ係数値と、前記第２のグループについての前記ＨＥデータフィールド内の有用なＯＦＤＭシンボルの前記最終共通数と、前記ＨＥデータフィールド内のＯＦＤＭシンボルの共通数とに基づいて計算する工程と
によって、パディングおよびパケット拡張関連パラメータを動作の際に計算する、請求項１に記載の送信装置。
【請求項１６】
前記第２のグループについての前記ＨＥデータフィールド内の有用なＯＦＤＭシンボルの前記最終共通数と前記第２のグループについての前記最終共通ａ係数値とを前記第２のグループについての前記ＨＥデータフィールド内の有用なＯＦＤＭシンボルの前記初期最大数と前記第２のグループについての前記初期共通ａ係数値とに基づいて計算する前記工程は、前記第２のグループ中の少なくとも１つのユーザがＬＤＰＣを用いる場合であっても、前記ＬＤＰＣ符号化プロセスを行う工程を必要としない場合がある、請求項１５に記載の送信装置。
【請求項１７】
前記１つ以上の端末局が前記第１のグループと前記第２のグループとに分類される場合、前記送信装置は制御回路をさらに備えており、前記制御回路は、
前記第２のグループ中の各ユーザについての前ＦＥＣパディングビットの数を前記第２のグループについての前記ＨＥデータフィールド内の有用なＯＦＤＭシンボルの初期最大数に基づいて計算する工程と、
前記第２のグループについての前記ＨＥデータフィールド内の有用なＯＦＤＭシンボルの最終共通数を前記第２のグループについての前記ＨＥデータフィールド内の有用なＯＦＤＭシンボルの前記初期最大数に基づいて計算する工程と、
前記第２のグループ中の各ユーザについての後ＦＥＣパディングビットの数を前記第２のグループについての前記ＨＥデータフィールド内の有用なＯＦＤＭシンボルの前記最終共通数と前記ＨＥデータフィールド内のＯＦＤＭシンボルの共通数とに基づいて計算する工程と
によって、パディングおよびパケット拡張関連パラメータを動作の際に計算する、請求項１に記載の送信装置。
【請求項１８】
レガシプリアンブル、非レガシプリアンブル、データフィールドおよびパケット拡張フィールドを含む送信信号を生成する工程と、前記生成された送信信号を送信する工程と、を備え、前記非レガシプリアンブルは、第１の信号フィールドと第２の信号フィールドとを備え、前記第２の信号フィールドは、１つ以上の端末局向けのＲＵ割当情報を搬送する共通フィールドと前記１つ以上の端末局向けのユーザ別割当情報を搬送するユーザ固有フィールドとを備え、前記１つ以上の端末局は、１つのグループまたは２つのグループに分類され、前記１つ以上の端末局が第１のグループと第２のグループとに分類される場合に、前記第１のグループは、前記データフィールド内の前記ＯＦＤＭシンボルのすべてにわたるＦＥＣ符号化ビットを有する少なくとも１つの端末局を備える一方で、前記第２のグループは、前記データフィールド内の前記ＯＦＤＭシンボルの一部のみにわたるＦＥＣ符号化ビットを有する１つ以上の端末局を備える、送信方法。
【発明の詳細な説明】
【技術分野】
【０００１】
本開示は、概して無線通信に関し、特に、無線通信システムにおいてデータをフォーマットして送信する方法に関する。
【背景技術】
【０００２】
高密度状況でユーザによって実現される実際のスループットのきわめて実質的な増加を実現するために、ＩＥＥＥ（電気電子技術協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｉｇｎｅｅｒｓ））８０２．１１ワーキンググループは、８０２．１１ａｘ  ＨＥ（Ｈｉｇｈ  Ｅｆｆｉｃｉｅｎｃｙ）ＷＬＡＮ（ワイヤレス・ローカル・エリア・ネットワーク（Ｗｉｒｅｌｅｓｓ  Ｌｏｃａｌ  Ａｒｅａ  Ｎｅｔｗｏｒｋ））無線インタフェースを開発している。ＯＦＤＭＡ（直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ））マルチユーザ送信が８０２．１１ａｘにおける最も重要な特徴の１つとして構想されている。ＯＦＤＭＡは、ＯＦＤＭ（直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ））システムの時間および周波数リソースを用いて複数のユーザとやり取りされるデータストリームの複数の操作を実行するマルチアクセススキームである。
【０００３】
８０２．１１ａｘでのＯＦＤＭＡマルチユーザ送信では周波数スケジューリングを通常行う。周波数スケジューリングにしたがって、無線通信アクセスポイント装置（以下単に「アクセスポイント」または「ＡＰ」）は、複数の無線通信局装置（以下単に「端末局」または「ＳＴＡ」）に、ＳＴＡの周波数帯域の受信品質に基づいてサブキャリアを最適に割り当てる。これにより、最大のマルチユーザダイバーシティ効果を得ることができ、きわめて効率的に通信を実行することができる。
【０００４】
周波数スケジューリングはリソースユニット（ＲＵ）に基づいて通常行われる。ＲＵは連続する複数のサブキャリアを備える。ＲＵのタイプは、１つのＲＵに対する構成サブキャリアの数に応じて異なってもよい。ＲＵは、ＡＰによって、ＡＰが通信を行う複数のＳＴＡの各々に割り当てられる。ＡＰによって行われる周波数スケジューリングのＲＵ割当の結果は、ＲＵ割当情報としてＳＴＡに通知することとしている。さらに、ＡＰは、共通制御情報やユーザ別割当情報などの他の制御シグナリングもＳＴＡに通知することとしている。
【先行技術文献】
【非特許文献】
【０００５】
【非特許文献１】ＩＥＥＥ８０２．１１−１５／０１３２ｒ１３，Ｓｐｅｃｉｆｉｃａｔｉｏｎ  Ｆｒａｍｅｗｏｒｋ  ｆｏｒ  ＴＧａｘ，Ｎｏｖｅｍｂｅｒ  ２０１５
【非特許文献２】ＩＥＥＥ８０２．１１−１５／０８１０ｒ１，ＨＥ  ＰＨＹ  Ｐａｄｄｉｎｇ  ａｎｄ  Ｐａｃｋｅｔ  Ｅｘｔｅｎｓｉｏｎ，Ｓｅｐｔｅｍｂｅｒ  ２０１５
【非特許文献３】ＩＥＥＥ  Ｓｔｄ８０２．１１−２０１２
【非特許文献４】ＩＥＥＥ  Ｓｔｄ８０２．１１ａｃ−２０１３
【発明の概要】
【発明が解決しようとする課題】
【０００６】
ダウンリンクＯＦＤＭＡにおけるすべてのＳＴＡ向けの送信は同時に終了することとしている。パディングはこの目的を達成するための複雑でない方法である。これに加えて、８０２．１１ａｘのＯＦＤＭシンボル期間は８０２．１１ｎ／ａｃよりも４倍長いので、受信ＨＥパケットの最後のＯＦＤＭシンボルを処理するのに十分な時間を受信部に与えるために、ＨＥパケットにパケット拡張を適用してもよい。パケット拡張により、システムオーバーヘッドは増大するが、受信部を実施する際の複雑さは低減される。８０２．１１ａｘにおけるダウンリンクＯＦＤＭＡマルチユーザ送信に対する効率的なパディングおよびパケット拡張を行って、実施する際の複雑さとシステムオーバーヘッドとのバランスをとる研究が進行中である。
【課題を解決するための手段】
【０００７】
１つの包括的な態様において、ここで開示される技術は、レガシプリアンブル、非レガシプリアンブル、データフィールドおよびパケット拡張フィールドを含む送信信号を動作の際に生成する送信信号生成部と、生成された送信信号を送信する送信部とを備え、非レガシプリアンブルは、第１の信号フィールドと第２の信号フィールドとを備え、第２の信号フィールドは、１つ以上の端末局向けのＲＵ割当情報を搬送する共通フィールドと１つ以上の端末局向けのユーザ別割当情報を搬送するユーザ固有フィールドとを備え、１つ以上の端末局は、１つのグループまたは２つのグループに分類され、１つ以上の端末局が第１のグループと第２のグループとに分類される場合に、第１のグループは、データフィールド内のＯＦＤＭシンボルのすべてにわたるＦＥＣ符号化ビットを有する少なくとも１つの端末局を備える一方で、第２のグループは、データフィールド内のＯＦＤＭシンボルの一部のみにわたるＦＥＣ符号化ビットを有する１つ以上の端末局を備える、送信装置を特徴とする。
【０００８】
包括的な開示物または特定の開示物を、システム、方法、集積回路、コンピュータプログラム、記憶媒体またはこれらを選択的に組み合せたいずれのものとしてでも実施してもよい点に留意するべきである。
【０００９】
本開示のダウンリンクＯＦＤＭＡマルチユーザ送信に対してパディングおよびパケット拡張を用いれば、パケット拡張によるシステムオーバーヘッドの増大を抑制しつつ、受信部を実施する際の複雑さを最小にすることができる。
【００１０】
開示されている実施形態のさらなる利益および利点は明細書および図面から明らかになる。明細書および図面の様々な実施形態および特徴によって利益および／または利点を個別に得てもよいが、このような利益および／または利点の１つ以上を得るためにすべてを設ける必要はない。
【図面の簡単な説明】
【００１１】
【図１】８０２．１１ａｘ仕様フレームワークドキュメントに準拠するＨＥ（Ｈｉｇｈ  Ｅｆｆｉｃｉｅｎｃｙ）パケットのフォーマットを示す図を示す。
【図２】先行技術に係る、ＳＴＢＣ（時空間ブロック符号化（Ｓｐａｃｅ−Ｔｉｍｅ  Ｂｌｏｃｋ  Ｃｏｄｉｎｇ））を行わない場合のシングルユーザ送信についてのＨＥパケットに対するパディングおよびＰＥ（パケット拡張（Ｐａｃｋｅｔ  Ｅｘｔｅｎｓｉｏｎ））例を示す図を示す。
【図３】先行技術に係る、シングルユーザ送信についてのパディングおよびＰＥ関連パラメータを決定する方法例を示すフローチャートを示す。
【図４】先行技術に係る、ＳＴＢＣを行わない場合のダウンリンクマルチユーザ送信についてのＨＥパケットに対するパディングおよびＰＥ例を示す図を示す。
【図５】本開示の第１の態様の第１の実施形態に係る、ダウンリンクマルチユーザ送信についてのパディングおよびＰＥ関連パラメータを決定する方法例を示すフローチャートを示す。
【図６】本開示の第１の態様の第２の実施形態に係る、ダウンリンクマルチユーザ送信についてのパディングおよびＰＥ関連パラメータを決定する方法例を示すフローチャートを示す。
【図７】本開示の第１の態様の第３の実施形態に係る、ダウンリンクマルチユーザ送信についてのパディングおよびＰＥ関連パラメータを決定する方法例を示すフローチャートを示す。
【図８】本開示の第２の態様に係るユーザのグループ化のための方法例を示すフローチャートを示す。
【図９】本開示の第２の態様に係る、ＳＴＢＣを行わない場合のダウンリンクマルチユーザ送信についてのＨＥパケットに対するパディングおよびＰＥ例を示す図を示す。
【図１０】本開示の第２の態様の第１の実施形態に係る、第２のグループについてのパディング関連パラメータを決定する方法例を示すフローチャートを示す。
【図１１】本開示の第２の態様の第１の実施形態に係る、ＨＥパケットのＨＥ−ＳＩＧ−Ａの内容を示す図を示す。
【図１２Ａ】本開示の第２の態様の第１の実施形態に係る、ＨＥパケットのＨＥ−ＳＩＧ−Ｂの各ユーザ固有サブフィールドの内容を示す図を示す。
【図１２Ｂ】本開示の第２の態様の第１の実施形態に係る、ＨＥパケットのＨＥ−ＳＩＧ−Ｂの各ユーザ固有サブフィールドの内容を示す別の図を示す。
【図１３】本開示の第２の態様の第２の実施形態に係る、第２のグループについてのパディング関連パラメータを決定する方法例を示すフローチャートを示す。
【図１４】本開示の第２の態様の第３の実施形態に係る、第２のグループについてのパディング関連パラメータを決定する方法例を示すフローチャートを示す。
【図１５】本開示に係るＡＰ（アクセスポイント）の構成例を示すブロック図を示す。
【図１６】本開示に係るＳＴＡの構成例を示すブロック図を示す。
【発明を実施するための形態】
【００１２】
以下、本開示の様々な実施形態を添付の図面を参照して詳細に説明する。以下の説明では、既知の機能および構成の詳細な説明は明瞭にかつ簡潔にするために省略されている。
【００１３】
＜本開示の基礎を形成する基礎知識＞
図１は、８０２．１１ａｘ  ＳＦＤ（仕様フレームワークドキュメント（Ｓｐｅｃｉｆｉｃａｔｉｏｎ  Ｆｒａｍｅｗｏｒｋ  Ｄｏｃｕｍｅｎｔ））［非特許文献１を参照］にしたがうＨＥ（Ｈｉｇｈ  Ｅｆｆｉｃｉｅｎｃｙ）パケット１００のフォーマットを示す。ＨＥパケット１００は、レガシ・ショート・トレーニング・フィールド（ｌｅｇａｃｙ  ｓｈｏｒｔ  ｔｒａｉｎｉｎｇ  ｆｉｅｌｄ）（Ｌ−ＳＴＦ）１０２、レガシ・ロング・トレーニング・フィールド（ｌｅｇａｃｙ  ｌｏｎｇ  ｔｒａｉｎｉｎｇ  ｆｉｅｌｄ）（Ｌ−ＬＴＦ）１０４およびレガシ信号フィールド（ｌｅｇａｃｙ  ｓｉｇｎａｌ  ｆｉｅｌｄ）（Ｌ−ＳＩＧ）１０６を備えるレガシプリアンブルと、繰り返しＬ−ＳＩＧフィールド（ｒｅｐｅａｔｅｄ  Ｌ−ＳＩＧ  ｆｉｅｌｄ）（ＲＬ−ＳＩＧ）１０８、第１のＨＥ信号フィールド（ＨＥ−ＳＩＧ−Ａ）１１０、第２のＨＥ信号フィールド（ＨＥ−ＳＩＧ−Ｂ）１１２、ＨＥショート・トレーニング・フィールド（ＨＥ  ｓｈｏｒｔ  ｔｒａｉｎｉｎｇ  ｆｉｅｌｄ）（ＨＥ−ＳＴＦ）１１４およびＨＥロング・トレーニング・フィールド（ＨＥ  ｌｏｎｇ  ｔｒａｉｎｉｎｇ  ｆｉｅｌｄ）（ＨＥ−ＬＴＦ）１１６を備えるＨＥプリアンブルと、ＨＥデータフィールド１２０と、パケット拡張（ＰＥ）フィールド１２２とを含む。
【００１４】
レガシプリアンブル（１０２，１０４，１０６）は、レガシ８０２．１１ａ／ｇ／ｎ／ａｃ規格との後方互換性を向上させるのに用いられる。Ｌ−ＳＴＦ１０２およびＬ−ＬＴＦ１０４は、パケット検出、ＡＧＣ（自動利得制御（Ａｕｔｏｍａｔｉｃ  Ｇａｉｎ  Ｃｏｎｔｒｏｌ））設定、周波数オフセット推定、時間同期およびチャネル推定に主に用いられる。Ｌ−ＳＩＧ１０６は、Ｌ−ＳＩＧ１０６から複製されるＨＥプリアンブルのＲＬ−ＳＩＧ１０８とともに、ＨＥパケット１００をレガシ８０２．１１ａ／ｇ／ｎ／ａｃパケットと区別するのを補助するのに用いられる。さらに、Ｌ−ＳＩＧ１０６は、ＨＥパケット１００の送信時間を示す長さフィールドを備える。
【００１５】
ＨＥプリアンブルのＨＥ−ＳＩＧ−Ａ１１０は、ＨＥパケット１００の残りのフィールドを解釈するのに必要な共通制御情報を搬送する。シングルユーザ送信についてのＨＥパケット１００の場合、ＨＥ−ＳＩＧ−Ａ１１０は、帯域幅、ＭＣＳ（変調および符号化方法（Ｍｏｄｕｌａｔｉｏｎ  ａｎｄ  Ｃｏｄｉｎｇ  Ｓｃｈｅｍｅ））、空間ストリームの数（Ｎｓｓ）、コーディング、ＳＴＢＣ（時空間ブロック符号化（Ｓｐａｃｅ  Ｔｉｍｅ  Ｂｌｏｃｋ  Ｃｏｄｉｎｇ））、ａ係数（ａ−ｆａｃｔｏｒ）、ＰＥディスアンビギュイティ（ＰＥ  Ｄｉｓａｍｂｉｇｕｉｔｙ）およびＬＤＰＣエクストラシンボル（ＬＤＰＣ  Ｅｘｔｒａ  Ｓｙｍｂｏｌ）などのシグナリングフィールドを備える。コーディングフィールドは、ＨＥデータフィールド１２０に適用されるＦＥＣ（前方誤り訂正（Ｆｏｒｗａｒｄ  Ｅｒｒｏｒ  Ｃｏｒｒｅｃｔｉｏｎ））がＢＣＣ（バイナリ畳み込み符号（Ｂｉｎａｒｙ  Ｃｏｎｖｏｌｕｔｉｏｎａｌ  Ｃｏｄｅ））であるかＬＤＰＣ（低密度パリティ符号（Ｌｏｗ  Ｄｅｎｓｉｔｙ  Ｐａｒｉｔｙ  Ｃｏｄｅ））であるかを示す。ＳＴＢＣフィールドは、ＳＴＢＣがＨＥデータフィールド１２０に適用されるか否かを示す。ａ係数フィールド、ＰＥディスアンビギュイティフィールドおよびＬＤＰＣエクストラシンボルフィールドの用途は後に説明する。ダウンリンクマルチユーザ送信についてのＨＥパケット１００の場合、ＨＥ−ＳＩＧ−Ａ１１０は、帯域幅、ＳＩＧＢ  ＭＣＳ、シンボルのＳＩＧＢ数、ａ係数、ＰＥディスアンビギュイティおよびＬＤＰＣエクストラシンボルなどのシグナリングフィールドを備える。
【００１６】
ＨＥプリアンブルのＨＥ−ＳＩＧ−Ｂ１１２は、ユーザ固有フィールドが後続する共通フィールドを備える。共通フィールドは、ＲＵ割当情報（たとえば、周波数領域でのＲＵ構成、および各ＲＵでマルチプレックスされるユーザの数）を含む。ＲＵがシングルユーザ送信に対して指定される場合、ＲＵでマルチプレックスされるユーザの数は１である。ＲＵがＭＵ−ＭＩＭＯ（マルチユーザ多入力多出力（Ｍｕｌｔｉｕｓｅｒ  Ｍｕｌｔｉｐｌｅ  Ｉｎｐｕｔ  Ｍｕｌｔｉｐｌｅ  Ｏｕｔｐｕｔ））送信に対して指定される場合、ＲＵでマルチプレックスされるユーザの数は２以上である。ユーザ固有フィールドは複数のユーザ固有サブフィールドを備える。ユーザ固有サブフィールドの各々はユーザ別割当情報を搬送する。シングルユーザ送信に対して指定される各ＲＵに対して、ＳＴＡ識別子、ＭＣＳ、コーディングおよび空間ストリームの数（Ｎｓｓ）などのシグナリングフィールドを含む１つの対応するユーザ固有サブフィールドのみが存在する。Ｋ個のユーザがマルチプレックスされる場合のＭＵ−ＭＩＭＯ送信に対して指定されるＲＵに対して、Ｋ個の対応するユーザ固有サブフィールドが存在し、これらの各々は、ＳＴＡ識別子、ＭＣＳ、コーディングおよび空間構成などのシグナリングフィールドを備える。ユーザ固有フィールド内のユーザ固有サブフィールドの順序は、共通フィールドによってシグナリングされるＲＵ構成に対応する。シングルユーザ送信を意図するか、アップリンクをトリガとすることを基本としたマルチユーザ送信を意図する場合、ＨＥ−ＳＩＧ−Ｂ１１２はＨＥパケット１００に存在しない。アップリンクをトリガとすることを基本としたマルチユーザ送信については、指定された送信ＳＴＡ向けのＲＵ割当情報およびユーザ別割当情報は、ＡＰにおいて予め設定され、指定された送信ＳＴＡにＡＰによって１つのトリガフレームで送信される。
【００１７】
ＨＥプリアンブルのＨＥ−ＳＴＦ１１４はＡＧＣをリセットするのに用いられ、これにより、ＡＤＣ（アナログ・デジタル・コンバータ（Ａｎａｌｏｇ−ｔｏ−Ｄｉｇｉｔａｌ  Ｃｏｎｖｅｒｔｅｒ））に対するダイナミックレンジ要求が低くなる。ＨＥプリアンブルのＨＥ−ＬＴＦ１１６は、ＨＥデータフィールド１２０を受信して等化するためのＭＩＭＯチャネル推定向けに設けられている。
【００１８】
ＢＣＣエンコーディングがＳＴＡに用いられる場合、ＳＴＡについてのＨＥデータフィールド１２０は、サービスフィールド（ＳＥＲＶＩＣＥ  ｆｉｅｌｄ）、ＰＳＤＵ（物理レイヤ・サービス・データ・ユニット（Ｐｈｙｓｉｃａｌ  Ｌａｙｅｒ  Ｓｅｒｖｉｃｅ  Ｄａｔａ  Ｕｎｉｔ））、ＰＨＹ（物理レイヤ（Ｐｈｙｓｉｃａｌ  Ｌａｙｅｒ））パディングビットおよびテールビットを備える。なお、ＰＳＤＵはＭＡＣ（メディアアクセス制御レイヤ）パディングビットを含む。ＬＤＰＣエンコーディングがＳＴＡに用いられる場合、ＳＴＡについてのＨＥデータフィールド１２０は、サービスフィールド、ＰＳＤＵおよびＰＨＹパディングビットを備える。ＳＴＡ向けのＨＥデータフィールド１２０はその指定されたＲＵで送信され、このＲＵはＨＥデータフィールド１２０内のＯＦＤＭシンボルのすべてにわたる。
【００１９】
ＰＥフィールド１２２はｎｕｌｌデータを搬送し、このｎｕｌｌデータは、ＨＥデータフィールド１２０の最後のＯＦＤＭシンボルを処理するのに十分な時間を受信部に与えることを可能にするのに純粋に用いられる。
【００２０】
Ｌ−ＳＴＦ１０２、Ｌ−ＬＴＦ１０４、Ｌ−ＳＩＧ１０６、ＲＬ−ＳＩＧ１０８、ＨＥ−ＳＩＧ−Ａ１１０、ＨＥ−ＳＩＧ−Ｂ１１２、ＨＥ−ＳＴＦ１１４、ＨＥ−ＬＴＦ１１６、ＨＥデータフィールド１２０およびＰＥフィールド１２２についての送信処理の詳細は８０２．１１ａｘ  ＳＦＤに見ることができる［非特許文献１を参照］。
【００２１】
８０２．１１ａｘ  ＳＦＤ［非特許文献１を参照］によれば、ＨＥパケット１００のＨＥデータフィールド１２０に２工程パディングプロセスが適用される。ＭＡＣパディングとＰＨＹパディングとの両方を有する前ＦＥＣパディング（ｐｒｅ−ＦＥＣ  ｐａｄｄｉｎｇ）は、ＦＥＣコーディングを行う前に適用され、後ＦＥＣ  ＰＨＹパディング（ｐｏｓｔ−ＦＥＣ  ＰＨＹ  ｐａｄｄｉｎｇ）はＦＥＣ符号化ビット（情報ビット、前ＦＥＣパディングビットおよびＦＥＣパリティビットを含む）に適用される。ＳＴＢＣがＨＥデータフィールド１２０に適用されるか否かに応じて、ＨＥパケット１００のＨＥデータフィールド１２０の最後の１つまたは２つのＯＦＤＭシンボルにおける可能な４つの境界に向かって前ＦＥＣパディングを行ってもよい。ＳＴＢＣがＨＥデータフィールド１２０に適用されない場合、ＨＥデータフィールド１２０の最後のＯＦＤＭシンボルにおける可能な４つの境界に向かって前ＦＥＣパディングを行ってもよい。その他の場合、ＨＥデータフィールド１２０の最後の２つのＯＦＤＭシンボルにおける可能な４つの境界に向かって前ＦＥＣパディングを行ってもよい。可能な４つの境界は、最後の１つ以上のＯＦＤＭシンボルのＦＥＣ符号化ビットストリームを４つのシンボルセグメントに分割する、いわゆるａ係数パラメータによって表現される。
【００２２】
図２は、先行技術［非特許文献１および非特許文献２を参照］に係る、ＳＴＢＣを行わない場合のシングルユーザ送信についてのＨＥパケット１００に対するパディングおよびＰＥの様々な例を示す。この例の場合、値が１，２または３のａ係数については、ＨＥデータフィールド１２０の最後のＯＦＤＭシンボルにおける１番目の境界、２番目の境界または３番目の境界に向かって前ＦＥＣパディングを行う。値が４のａ係数については、ＨＥデータフィールド１２０の最後のＯＦＤＭシンボルの終端に対して前ＦＥＣパディングを行う。ＰＥフィールド１２２の期間は、ＨＥデータフィールド１２０の最後のＯＦＤＭシンボルにおける前ＦＥＣパディング境界の関数である。送信部がＰＥフィールド１２２の期間をどのように計算するかについての詳細は８０２．１１ａｘ  ＳＦＤに見ることができる［非特許文献１および非特許文献２を参照］。ＬＤＰＣがＨＥデータフィールド１２０に適用される場合、受信部は、ＨＥデータフィールド１２０の最後のＯＦＤＭシンボルにおいて後ＦＥＣパディングビットを処理する必要はない。この結果、より小さいａ係数のためにＰＥフィールド１２２の期間が短くなる場合であっても（たとえば、図２に示されているように、ａ係数の値が１である場合のＰＥフィールド１２２の期間は、ａ係数の値が２，３または４である場合のものよりも短い）、受信部にはＨＥデータフィールド１２０の最後のＯＦＤＭシンボルを処理するのに十分な時間がこの場合にも与えられる。このように、パケット拡張によるシステムオーバーヘッドの増大を抑えつつ、受信部を実施する際の複雑さが最小化される。
【００２３】
図３は、先行技術［非特許文献２を参照］に係る、シングルユーザ送信についてのパディングおよびＰＥ関連パラメータを決定する方法例３００を示す。方法３００は、以下のパラメータに基づいて工程３０２から開始される。
【００２４】
【数１】
2019502309.tif 000003
【００２５】
ここで、ＮＳＤ，ｓｈｏｒｔは最初の３つのシンボルセグメントの各々についてのデータサブキャリアの数であり、ＨＥ−ＳＩＧ−Ａ１１０に示される帯域幅によって決まる。ＮＳＳは空間ストリームの数であり、ＨＥ−ＳＩＧ−Ａ１１０に示される。Ｒは符号化率（ｃｏｄｅ  ｒａｔｅ）であり、ＨＥ−ＳＩＧ−Ａ１１０に示されるＭＣＳによって決まる。ＮＢＰＳＣＳはサブキャリア１つあたりのコード化ビットの数であり、ＨＥ−ＳＩＧ−Ａ１１０に示されるＭＣＳによって決まる。
【００２６】
工程３０４で、ＨＥデータフィールド１２０内のＯＦＤＭシンボルの初期数と初期ａ係数値とを計算する。ＨＥデータフィールド１２０内のＯＦＤＭシンボルの初期数を以下の式によって計算する。
【００２７】
【数２】
2019502309.tif 000004
【００２８】
ここで、ＡＰＥＰ  ＬＥＮＧＴＨは、フレーム終端ＭＡＣパディングよりも前のＡ−ＭＰＤＵ（アグリゲートＭＡＣプロトコル・データ・ユニット（Ａｇｇｒｅｇａｔｅ  ＭＡＣ  Ｐｒｏｔｏｃｏｌ  Ｄａｔａ  Ｕｎｉｔ））長である。Ｎｔａｉｌはテールビットの数であり、ＢＣＣについての値は６であり、ＬＤＰＣについての値は０である。ＮＥＳはＢＣＣエンコーダの数であり、その値は１または２のいずれかであり、ＨＥ−ＳＩＧ−Ａ１１０に示されるＭＣＳ、ＮＳＳおよび帯域幅によって決まる。Ｎｓｅｒｖｉｃｅはサービスフィールドの長さであり、その値は１６である。ｍＳＴＢＣの値は、ＳＴＢＣについては２であり、ＳＴＢＣを行わない場合には１である。ＮＤＢＰＳはＯＦＤＭシンボル１つあたりのデータビットの数であり、ＨＥ−ＳＩＧ−Ａ１１０に示されるＭＣＳおよび帯域幅によって決まる。初期ａ係数は以下の式によって計算される。
【００２９】
【数３】
2019502309.tif 000005
【００３０】
ここで、ＨＥデータフィールド１２０の最後の１つ以上のＯＦＤＭシンボルの余剰情報ビットの数は以下の式によって示される。
【００３１】
【数４】
2019502309.tif 000006
【００３２】
工程３０６で、以下の式によってＨＥデータフィールド１２０内のＯＦＤＭシンボルの初期数と初期ａ係数値とに基づいて前ＦＥＣパディングビットの数を計算する。
【００３３】
【数５】
2019502309.tif 000007
【００３４】
工程３０８で、ＨＥデータフィールド１２０内のＯＦＤＭシンボルの初期数と初期ａ係数値とに基づいて最終ａ係数値とＨＥデータフィールド１２０内のＯＦＤＭシンボルの最終数とを計算する。ＢＣＣの場合には、ＨＥデータフィールド１２０内のＯＦＤＭシンボルの最終数はＮＳＹＭ＝ＮＳＹＭ＿ｉｎｉｔであり、最終ａ係数はａ＝ａｉｎｉｔである。ＬＤＰＣの場合には、最終ａ係数値とＨＥデータフィールド１２０内のＯＦＤＭシンボルの最終数とを計算するためにＬＤＰＣ符号化プロセスを行うことが必要である。まず、以下でスタートする。
【００３５】
【数６】
2019502309.tif 000008
【００３６】
ＩＥＥＥ８０２．１１−２０１２［非特許文献３を参照］の２０．３．１１．７．５における工程ｂ）〜ｄ）にしたがうことによって、ＬＤＰＣコードワード長ＬＬＤＰＣ、ＬＤＰＣコードワードの数ＮＣＷ、短縮ビット（ｓｈｏｒｔｅｎｉｎｇ  ｂｉｔ）の数Ｎｓｈｒｔおよびパンクチャが行われるビットの数ＮｐｕｎｃなどのＬＤＰＣ符号化パラメータを計算する。工程ｄ）において、以下が、
【００３７】
【数７】
2019502309.tif 000009
【００３８】
真である場合、または、以下が、
【００３９】
【数８】
2019502309.tif 000010
【００４０】
真である場合（すなわち、ＨＥ−ＳＩＧ−Ａ１１０のＬＤＰＣエクストラシンボルフィールドを１に設定する条件が満たされる場合）、
【００４１】
【数９】
2019502309.tif 000011
【００４２】
ＨＥデータフィールド１２０のＯＦＤＭシンボルの最終数は、
【００４３】
【数１０】
2019502309.tif 000012
【００４４】
であり、最終ａ係数は、
【００４５】
【数１１】
2019502309.tif 000013
【００４６】
であり、ＨＥ−ＳＩＧ−Ａ１１０のＬＤＰＣエクストラシンボルフィールドは１に設定される。その他の場合、ＮＳＹＭ＝ＮＳＹＭ＿ｉｎｉｔ，ａ＝ａｉｎｉｔであり、ＨＥ−ＳＩＧ−Ａ１１０のＬＤＰＣエクストラシンボルフィールドは０に設定される。なお、ＨＥ−ＳＩＧ−Ａ１１０のａ係数フィールドは最終ａ係数値にしたがって設定される。
【００４７】
工程３１０で、最終ａ係数値に基づいて以下の式によって最後の１つ以上のシンボルの各々の後ＦＥＣパディングビットの数を計算する。
【００４８】
【数１２】
2019502309.tif 000014
【００４９】
工程３１２で、最終ａ係数値にしたがってＰＥフィールド１２２の期間を計算する。なお、ＨＥ−ＳＩＧ−Ａ１１０のＰＥアンビギュイティフィールドとＬ−ＳＩＧ１０６の長さフィールドとをＨＥデータフィールド１２０内のＯＦＤＭシンボルの最終数とＰＥフィールド１２２の期間とにしたがって設定することができる。詳細は、８０２．１１ａｘ  ＳＦＤ［非特許文献１を参照］に見ることができる。方法３００は工程３１４でストップする。
【００５０】
図４は、先行技術［非特許文献１および非特許文献２を参照］に係る、ＳＴＢＣを行わない場合のダウンリンクマルチユーザ送信についてのＨＥパケット１００に対するパディングおよびＰＥ例を示す。ダウンリンクマルチユーザ送信については、すべてのユーザは、ＰＥフィールド１２２の同じ期間と、共通ａ係数値と、ＨＥデータフィールド１２０内のＯＦＤＭシンボルの共通数とを共有する。共通ａ係数値は、最長符号化パケット期間を有するユーザにより決められる。この例では、最長符号化パケット期間を持つＳＴＡ２にしたがって共通ａ係数の値は２になる。各ユーザについて、ＨＥデータフィールド１２０の最後のＯＦＤＭシンボルにおける２番目の境界に向かって前ＦＥＣパディングを行う。
【００５１】
しかし、ダウンリンクマルチユーザ送信についてのパディング関連パラメータ（たとえば、共通ａ係数、ＨＥデータフィールド１２０内のＯＦＤＭシンボルの共通数、前ＦＥＣパディングビットのユーザ別数および後ＦＥＣパディングビットのユーザ別数など）を決定するのに利用可能な具体的な方法がない。次に、本開示の第１の態様によれば、ダウンリンクマルチユーザ送信についてのパディングおよびＰＥ関連パラメータを決定する方法の様々な実施形態がさらに詳細に説明される。
【００５２】
＜第１の実施形態＞
図５は、本開示の第１の態様の第１の実施形態に係る、ダウンリンクマルチユーザ送信についてのパディングおよびＰＥ関連パラメータを決定する方法例５００を示す。方法５００は、以下のパラメータに基づいて工程５０２から開始される。
【００５３】
【数１３】
2019502309.tif 000015
【００５４】
ここで、ＮＳＤ，ｓｈｏｒｔ，ｕはユーザｕについての最初の３つのシンボルセグメントの各々についてのデータサブキャリアの数であり、ＨＥ−ＳＩＧ−Ｂ１１２に示される、ユーザｕに割り当てられるＲＵのサイズによって決まる。ＮＳＤ，ｕはユーザｕについての空間ストリームの数であり、ＨＥ−ＳＩＧ−Ｂ１１２に示される。Ｒｕはユーザｕについての符号化率であり、ＨＥ−ＳＩＧ−Ｂ１１２に示される、ユーザｕについてのＭＣＳによって決まる。ＮＢＰＳＣＳ，ｕはユーザｕについてのサブキャリア１つあたりのコード化ビットの数であり、ＨＥ−ＳＩＧ−Ｂ１１２に示される、ユーザｕについてのＭＣＳによって決まる。
【００５５】
工程５０４で、各ユーザについて、ＨＥデータフィールド１２０内のＯＦＤＭシンボルの初期ユーザ固有数と初期ユーザ固有ａ係数値とを計算する。ユーザｕについてのＨＥデータフィールド１２０内のＯＦＤＭシンボルの初期ユーザ固有数を以下の式によって計算する。
【００５６】
【数１４】
2019502309.tif 000016
【００５７】
ここで、ＡＰＥＰ＿ＬＥＮＧＴＨｕは、ユーザｕについてのフレーム終端ＭＡＣパディングよりも前のＡ−ＭＰＤＵ長である。ＮＥＳ，ｕはユーザｕについてのＢＣＣエンコーダの数であり、ＨＥ−ＳＩＧ−Ｂ１１２に示される、ユーザｕについてのＭＣＳと、ユーザｕについてのＮＳＳと、ユーザｕに割り当てられるＲＵのサイズとによって決まる。ＮＤＢＰＳ，ｕはＯＦＤＭシンボル１つあたりのデータビットの数であり、ＨＥ−ＳＩＧ−Ｂ１１２に示される、ユーザｕについてのＭＣＳとユーザｕに割り当てられるＲＵのサイズとによって決まる。ユーザｕについての初期ユーザ固有ａ係数を以下の式によって計算する。
【００５８】
【数１５】
2019502309.tif 000017
【００５９】
工程５０６で、各ユーザについての初期ユーザ固有ａ係数値とＨＥデータフィールド１２０内のＯＦＤＭシンボルの初期ユーザ固有数とに基づいて最長符号化パケット期間を有する初期ユーザを以下の式によって決定する。
【００６０】
【数１６】
2019502309.tif 000018
【００６１】
かつ、Ｎｕｓｅｒはユーザの総数である。ＨＥデータフィールド１２０内のＯＦＤＭシンボルの初期最大数は以下の式によって示される。
【００６２】
【数１７】
2019502309.tif 000019
【００６３】
また、初期共通ａ係数値は以下の式によって示される。
【００６４】
【数１８】
2019502309.tif 000020
【００６５】
工程５０８で、ＨＥデータフィールド１２０内のＯＦＤＭシンボルの初期最大数と初期共通ａ係数値とに基づいて各ユーザについての前ＦＥＣパディングビットの数を計算する。たとえば、ユーザｕについての前ＦＥＣパディングビットの数は以下の式によって与えられる。
【００６６】
【数１９】
2019502309.tif 000021
【００６７】
工程５１０で、ＨＥデータフィールド１２０内のＯＦＤＭシンボルの初期最大数と初期共通ａ係数値とに基づいてＨＥデータフィールド１２０内のＯＦＤＭシンボルの最終共通数と最終共通ａ係数値とを計算する。まず、ＨＥデータフィールド１２０内のＯＦＤＭシンボルの初期最大数と初期共通ａ係数値とに基づいて、各ユーザについて、ユーザ固有ａ係数値とＨＥデータフィールド１２０内のＯＦＤＭシンボルのユーザ固有数とを計算する。ＬＤＰＣを用いるユーザについては、ユーザ固有ａ係数値とＨＥデータフィールド１２０内のＯＦＤＭシンボルのユーザ固有数とを計算するためにＬＤＰＣ符号化プロセスを行うことが必要である。たとえば、ユーザｕがＬＤＰＣを用いる場合、まず、以下でスタートする。
【００６８】
【数２０】
2019502309.tif 000022
【００６９】
ＩＥＥＥ８０２．１１−２０１２［非特許文献３を参照］の２０．３．１１．７．５における工程ｂ）〜ｄ）にしたがうことによって、ユーザｕについてのＬＤＰＣ符号化パラメータＬＬＤＰＣ，ｕ、ＮＣＷ，ｕ、Ｎｓｈｒｔ，ｕおよびＮｐｕｎｃ，ｕを計算する。工程ｄ）において、（（Ｎｐｕｎｃ，ｕ＞０．１＊ＮＣＷ，ｕ＊ＬＬＤＰＣ，ｕ＊（１−Ｒｕ））かつ（Ｎｓｈｒｔ，ｕ＜１．２＊Ｎｐｕｎｃ，ｕ＊（Ｒｕ／（１−Ｒｕ））が真であるか、または（Ｎｐｕｎｃ，ｕ＞０．３＊ＮＣＷ，ｕ＊ＬＬＤＰＣ，ｕ＊（１−Ｒｕ））が真の場合（すなわち、ＨＥ−ＳＩＧ−Ａ１１０のＬＤＰＣエクストラシンボルフィールドを１に設定する条件が満たされる場合）、
【００７０】
【数２１】
2019502309.tif 000023
【００７１】
かつ、ＨＥ−ＳＩＧ−Ａ１１０のＬＤＰＣエクストラシンボルフィールドを１に設定することとしている。その他の場合、ＮＳＹＭ，ｕ＝ＮＳＹＭ＿ｍａｘ，ｉｎｉｔおよびａｕ＝ａｉｎｉｔである。ユーザｕがＢＣＣを用いる場合、ＮＳＹＭ，ｕ＝ＮＳＹＭ＿ｍａｘ，ｉｎｉｔかつａｕ＝ａｉｎｔである。次に、すべてのユーザについてのユーザ固有ａ係数値と、ＨＥデータフィールド１２０内のＯＦＤＭシンボルのユーザ固有数とに基づいて最長符号化パケット期間を有する最終ユーザを決定する。ＮＳＹＭ，ｏ＝ＮＳＹＭ，１＝．．．＝ＮＳＹＭ，Ｎｕｓｅｒ−１である場合、最長符号化パケット期間を有する最終ユーザは以下の式によって示される。
【００７２】
【数２２】
2019502309.tif 000024
【００７３】
その他の場合、最長符号化パケット期間を有する最終ユーザは以下の式によって示される。
【００７４】
【数２３】
2019502309.tif 000025
【００７５】
最後に、ＨＥデータフィールド１２０内のＯＦＤＭシンボルの最終共通数はＮＳＹＭ＝ＮＳＹＭ，ｕｍａｘであり、最終共通ａ係数はａ＝ａｕｍａｘである。ＨＥ−ＳＩＧ−Ａ１１０のａ係数フィールドが最終共通ａ係数値にしたがって設定される点に留意するべきである。
【００７６】
工程５１０の上記の説明によれば、すべてのユーザがＢＣＣを用いる場合、または、ＨＥ−ＳＩＧ−Ａ１１０のＬＤＰＣエクストラシンボルフィールドを１に設定する条件がＬＤＰＣを用いるいずれのユーザについても満たされない場合、ＨＥデータフィールド１２０内のＯＦＤＭシンボルの最終共通数はＮＳＹＭ＝ＮＳＹＭ＿ｍａｘ，ｉｎｔであり、最終共通ａ係数はａ＝ａｉｎｉｔである。その他の場合、ＨＥデータフィールド１２０内のＯＦＤＭシンボルの最終共通数は以下の式によって示される。
【００７７】
【数２４】
2019502309.tif 000026
【００７８】
また、最終共通ａ係数は以下の式によって示される。
【００７９】
【数２５】
2019502309.tif 000027
【００８０】
さらに、最終共通ａ係数値とＨＥデータフィールド１２０内のＯＦＤＭシンボルの最終共通数とに基づいてＬＤＰＣを用いるユーザについてのいくつかのＬＤＰＣ符号化パラメータを更新する必要がある。たとえば、ＬＤＰＣを用いるユーザｕについて、利用可能なビットの数を以下の式によって更新する。
【００８１】
【数２６】
2019502309.tif 000028
【００８２】
また、パンクチャが行われるビットの数を以下によって更新する。
【００８３】
【数２７】
2019502309.tif 000029
【００８４】
工程５１２で、最終共通ａ係数値に基づいて各ユーザについての最後の１つ以上のシンボルの各々の後ＦＥＣパディングビットの数を計算する。たとえば、ユーザｕについての最後の１つ以上のシンボルの各々の後ＦＥＣパディングビットの数は以下の式によって与えられる。
【００８５】
【数２８】
2019502309.tif 000030
【００８６】
工程５１４で、最終共通ａ係数値に基づいてＰＥフィールド１２２の共通期間を計算する。なお、ＨＥデータフィールド１２０内のＯＦＤＭシンボルの最終共通数とＰＥフィールド１２２の共通期間とにしたがってＨＥ−ＳＩＧ−Ａ１１０のＰＥアンビギュイティフィールドとＬ−ＳＩＧ１０６の長さフィールドとを設定することができる。詳細は、８０２．１１ａｘ  ＳＦＤ［非特許文献１を参照］に見ることができる。方法５００は工程５１６でストップする。
【００８７】
＜第２の実施形態＞
図６は、本開示の第１の態様の第２の実施形態に係る、ダウンリンクマルチユーザ送信についてのパディングおよびＰＥ関連パラメータを決定する方法例６００を示す。方法６００は工程６０２から開始される。
【００８８】
工程６０４で、各ユーザについて、ＨＥデータフィールド１２０内のＯＦＤＭシンボルの初期ユーザ固有数を計算する。たとえば、ユーザｕについてのＨＥデータフィールド１２０内のＯＦＤＭシンボルの初期ユーザ固有数ＮＳＹＭ＿ｉｎｉｔ，ｕを式（１）にしたがって計算する。次に、各ユーザについてのＨＥデータフィールド１２０内のＯＦＤＭシンボルの初期ユーザ固有数に基づいて以下の式によってＨＥデータフィールド１２０内のＯＦＤＭシンボルの初期最大数を計算する。
【００８９】
【数２９】
2019502309.tif 000031
【００９０】
工程６０６で、ＨＥデータフィールド１２０内のＯＦＤＭシンボルの初期最大数に基づいて初期共通ａ係数値を計算する。まず、ＨＥデータフィールド１２０内のＯＦＤＭシンボルの初期最大数を有するユーザのサブセットＳを以下の式によって決定する。
【００９１】
【数３０】
2019502309.tif 000032
【００９２】
その後、初期ユーザ固有ａ係数値をサブセット中の各ユーザについて計算する。たとえば、サブセット中のユーザｕについての初期ユーザ固有ａ係数値ａｉｎｉｔ，ｕを式（２）にしたがって計算する。最後に、初期共通ａ係数は以下の式によって示される。
【００９３】
【数３１】
2019502309.tif 000033
【００９４】
方法６００の工程６０８〜工程６１４は方法５００の工程５０８〜工程５１４とそれぞれ同じである。方法６００は工程６１６でストップする。
【００９５】
方法６００の工程６０４および工程６０６によれば、初期共通ａ係数値とＨＥデータフィールド１２０内のＯＦＤＭシンボルの初期最大数とを計算するために、ユーザのサブセットのみについての初期ユーザ固有ａ係数値を計算すればよい。この結果、方法６００は計算複雑性に関して方法５００よりも効率的である。
【００９６】
＜第３の実施形態＞
図７は、本開示の第１の態様の第３の実施形態に係る、ダウンリンクマルチユーザ送信についてのパディングおよびＰＥ関連パラメータを決定する方法例７００を示す。方法７００は工程７０２から開始される。
【００９７】
工程７０４で、最長符号化パケット期間を有する初期ユーザを以下の式によって決定する。
【００９８】
【数３２】
2019502309.tif 000034
【００９９】
工程７０６で、最長符号化パケット期間を有する初期ユーザにしたがってＨＥデータフィールド１２０内のＯＦＤＭシンボルの初期最大数と初期共通ａ係数値とを計算する。ＨＥデータフィールド１２０内のＯＦＤＭシンボルの初期最大数をＮＳＹＭ＿ｍａｘ＿ｉｎｉｔ＝ＮＳＹＭ＿ｉｎｉｔ，ｕｍａｘ＿ｉｎｉｔによって計算する。ここで、ユーザｕｍａｘ＿ｉｎｉｔについてのＨＥデータフィールド１２０内のＯＦＤＭシンボルの初期数ＮＳＹＭ＿ｉｎｉｔ，ｕｍａｘ＿ｉｎｉｔを式（１）にしたがって計算することができる。初期共通ａ係数はａｉｎｉｔ＝ａｉｎｉｔ，ｕｍａｘ＿ｉｎｉｔである。ここで、ユーザｕｍａｘ＿ｉｎｉｔについての初期ユーザ固有ａ係数ａｉｎｉｔ，ｕｍａｘ＿ｉｎｉｔを式（２）にしたがって計算することができる。
【０１００】
方法７００の工程７０８〜工程７１４は方法５００の工程５０８〜工程５１４とそれぞれ同じである。方法７００は工程７１６でストップする。
【０１０１】
方法７００の工程７０４および工程７０６によれば、初期共通ａ係数値とＨＥデータフィールド１２０内のＯＦＤＭシンボルの初期最大数とを計算するために、シングルユーザのみについての初期ユーザ固有ａ係数値を計算すればよい。この結果、方法７００は計算複雑性に関して方法６００よりもより一層効率的である。
【０１０２】
図４を参照して、先行技術［非特許文献１および非特許文献２を参照］によれば、ＨＥデータフィールド１２０内の最後のＯＦＤＭシンボルがいくつかのユーザ（たとえばＳＴＡ３およびＳＴＡ４）についての情報ビットを含まない場合であっても、これらのユーザはＨＥデータフィールド１２０内の最後のＯＦＤＭシンボルを処理する必要があることで、電力消費が増大する。
【０１０３】
本開示の第２の態様によれば、すべてのユーザは２つのグループに分類される。第１のグループは、ＨＥデータフィールド１２０内のＯＦＤＭシンボルのすべてにわたるＦＥＣ符号化ビットを有する少なくとも１つのユーザを備える。第２のグループは、ＨＥデータフィールド１２０内のＯＦＤＭシンボルの一部のみにわたるＦＥＣ符号化ビットを有するユーザを備える。
【０１０４】
図８は、本開示の第２の態様に係るユーザのグループ化のための方法例を示す。方法８００において工程８０２を開始する。工程８０４で、各ユーザについてのＨＥデータフィールド１２０内のＯＦＤＭシンボルの初期数を計算する。たとえば、ユーザｕについてのＨＥデータフィールド１２０内のＯＦＤＭシンボルの初期数Ｎ  ＳＹＭ  ｉｎｉｔ，ｕを式（１）にしたがって計算することができる。その後、各ユーザについてのＨＥデータフィールド１２０内のＯＦＤＭシンボルの初期数に基づいてＨＥデータフィールド１２０内のＯＦＤＭシンボルの初期最大数Ｎ  ＳＹＭ  ｍａｘ  ｉｎｉｔを式（３）にしたがって計算することができる。
【０１０５】
工程８０６で、シングルユーザ送信に対して指定されるＲＵでマルチプレックスされるユーザを第１のグループと第２のグループとに分類する。シングルユーザ送信に対して指定されるＲＵでマルチプレックスされるユーザｕについて、以下の場合に第２のグループに分類する。
【０１０６】
【数３３】
2019502309.tif 000035
【０１０７】
ここで、Ｍは正の整数であり（たとえば、Ｍ＝１）、その値は予め決められるか、変更可能である。その他の場合、第１のグループに分類する。
【０１０８】
工程８０８で、ＭＵ−ＭＩＭＯ送信に対して指定されるＲＵでマルチプレックスされるユーザを第１のグループと第２のグループとに分類する。ＭＵ−ＭＩＭＯ送信に対して指定されるＲＵでマルチプレックスされるユーザのクラスタについて、まず、ユーザのクラスタにおけるＨＥデータフィールド１２０内のＯＦＤＭシンボルの初期最大数を以下の式によって決定する。
【０１０９】
【数３４】
2019502309.tif 000036
【０１１０】
ここで、Ｃは、ＭＵ−ＭＩＭＯ送信に対して指定されるＲＵでマルチプレックスされるユーザのクラスタを表わす。以下の条件が満たされる場合、ユーザのクラスタ全体を第２のグループに分類する。
【０１１１】
【数３５】
2019502309.tif 000037
【０１１２】
その他の場合、ユーザのクラスタ全体を第１のグループに分類することになる。言い換えると、ＭＵ−ＭＩＭＯ送信に対して指定されるＲＵでマルチプレックスされるユーザのクラスタ全体を同じグループに分類することとしている。方法８００は工程８１０でストップする。
【０１１３】
図８に示されているユーザのグループ化のための方法８００によれば、第２のグループについてのＨＥデータフィールド１２０内の有用なＯＦＤＭシンボルの初期最大数は以下の式によって示される。
【０１１４】
【数３６】
2019502309.tif 000038
【０１１５】
本開示の第２の態様によれば、ＨＥデータフィールド１２０内のＯＦＤＭシンボルの共通数とＰＥフィールド１２２の共通期間とをすべてのユーザが共有する。第１のグループに固有の他のパディング関連パラメータ（たとえば、第１のグループについてのａ係数）とともに、ＨＥデータフィールド１２０内のＯＦＤＭシンボルの共通数とＰＥフィールド１２２の共通期間とを、本開示の第１の態様の上述の３つの実施形態に係る方法の１つを用いて、最長符号化パケット期間を有する第１のグループ中のユーザにしたがって決定することができる。第１のグループ中のユーザの各々について、第１のグループについてのａ係数値によって示される、ＨＥデータフィールド１２０内の最後の１つ以上のＯＦＤＭシンボルにおける境界に向かって前ＦＥＣパディングを行う。
【０１１６】
本開示の第２の態様によれば、第２のグループに固有のパディング関連パラメータ（たとえば、第２のグループについてのＨＥデータフィールド１２０内の有用なＯＦＤＭシンボルの数と第２のグループについてのａ係数）は、最長符号化パケット期間を有する第２のグループ中のユーザにしたがって決定される。第２のグループに固有のパディング関連パラメータを決定する方法は後に詳述される。第２のグループについてのＨＥデータフィールド１２０内の有用なＯＦＤＭシンボルは、第２のグループ中のユーザの少なくとも１つについてのＦＥＣ符号化ビットを含むＨＥデータフィールド１２０内のＯＦＤＭシンボルを指す。第２のグループ中のユーザの各々について、第２のグループについてのａ係数値によって示される、第２のグループについてのＨＥデータフィールド１２０内の最後の有用な１つ以上のＯＦＤＭシンボルにおける境界に向かって前ＦＥＣパディングを行う。
【０１１７】
図９は、本開示の第２の態様に係る、ＳＴＢＣを行わない場合のダウンリンクマルチユーザ送信についてのＨＥパケット１００に対するパディングおよびパケット拡張例を示す。この例では、第１のグループがＳＴＡ１およびＳＴＡ２を備える一方で、第２のグループはＳＴＡ３およびＳＴＡ４を備える。第１のグループについてのａ係数の値は２であり、第２のグループのａ係数の値は３である。第２のグループについてのＨＥデータフィールド１２０内の有用なＯＦＤＭシンボルの数は、ＨＥデータフィールド１２０内のＯＦＤＭシンボルの共通数よりもシンボル１つ分少ない。言い換えると、第１のグループ中のユーザ（すなわちＳＴＡ１およびＳＴＡ２）の各々について、ＨＥデータフィールド１２０内の最後のＯＦＤＭシンボルにおける２番目の境界に向かって前ＦＥＣパディングを行う一方で、第２のグループ中のユーザ（すなわちＳＴＡ３およびＳＴＡ４）の各々について、ＨＥデータフィールド１２０内の最後から２番目のＯＦＤＭシンボルにおける３番目の境界に向かって前ＦＥＣパディングを行う。この結果、第２のグループ中のユーザ（すなわちＳＴＡ３およびＳＴＡ４）は、ＨＥデータフィールド１２０内の最後のＯＦＤＭシンボルを処理する必要はなく、したがって、先行技術［非特許文献１および非特許文献２を参照］と比較して電力消費が低減される。
【０１１８】
＜第４の実施形態＞
図１０は、本開示の第２の態様の第１の実施形態に係る、第２のグループに固有のパディング関連パラメータを決定する方法例１０００を示す。方法１０００は工程１００２から開始される。工程１００４で、第２のグループ中の各ユーザについての初期ユーザ固有ａ係数値を計算する。たとえば、第２のグループ中のユーザｕについての初期ユーザ固有ａ係数ａｉｎｉｔ，ｕを式（２）にしたがって計算することができる。
【０１１９】
工程１００６で、第２のグループ中の各ユーザについての初期ユーザ固有ａ係数値と、ユーザのグループ化の際に式（４）にしたがって得ることができる、第２のグループについてのＨＥデータフィールド１２０内の有用なＯＦＤＭシンボルの初期最大数ＮＳＹＭ＿ｍａｘ＿ｉｎｉｔ，Ｇ２とに基づいて最長符号化パケット期間を有する第２のグループ中の初期ユーザを決定する。まず、ＨＥデータフィールド１２０内の有用なＯＦＤＭシンボルの初期最大数を有する第２のグループ中のユーザのサブセットＵを以下の式によって決定する。
【０１２０】
【数３７】
2019502309.tif 000039
【０１２１】
ここで、Ｎｕｓｅｒ，Ｇ２は第２のグループ中のユーザの数である。最長符号化パケット期間を有する第２のグループ中の初期ユーザを以下の式によって決定する。
【０１２２】
【数３８】
2019502309.tif 000040
【０１２３】
この場合、第２のグループについての初期共通ａ係数値は以下の式によって示される。
【０１２４】
【数３９】
2019502309.tif 000041
【０１２５】
工程１００８で、第２のグループについてのＨＥデータフィールド１２０内の有用なＯＦＤＭシンボルの初期最大数と第２のグループについての初期共通ａ係数値とに基づいて第２のグループ中の各ユーザについての前ＦＥＣパディングビットの数を計算する。たとえば、第２のグループ中のユーザｕについての前ＦＥＣパディングビットの数を以下の式によって計算する。
【０１２６】
【数４０】
2019502309.tif 000042
【０１２７】
工程１０１０で、第２のグループについてのＨＥデータフィールド１２０内の有用なＯＦＤＭシンボルの初期最大数と第２のグループについての初期共通ａ係数値とに基づいて第２のグループについてのＨＥデータフィールド１２０内の有用なＯＦＤＭシンボルの最終共通数と第２のグループについての最終共通ａ係数値とを計算する。図５に示されている方法５００の工程５１０と同様に、第２のグループ中の少なくとも１つのユーザがＬＤＰＣを用いる場合に第２のグループについてのＨＥデータフィールド１２０内の有用なＯＦＤＭシンボルの最終共通数と第２のグループについての最終共通ａ係数値とを計算するために、ＬＤＰＣ符号化プロセスを行うことが必要である。第２のグループ中のすべてのユーザがＢＣＣを用いる場合、または、ＨＥ−ＳＩＧ−Ａ１１０の第２のグループについてのＬＤＰＣエクストラシンボルのフィールドを１に設定する条件がＬＤＰＣを用いる第２のグループ中のいずれのユーザについても満たされない場合、第２のグループについてのＨＥデータフィールド１２０内の有用なＯＦＤＭシンボルの最終共通数はＮＳＹＭ，Ｇ２＝ＮＳＹＭ＿ｍａｘ＿ｉｎｉｔ，Ｇ２であり、第２のグループについての最終共通ａ係数はａＧ２＝ａｉｎｉｔ，Ｇ２である。その他の場合、第２のグループについてのＨＥデータフィールド１２０内の有用なＯＦＤＭシンボルの最終共通数は以下の式によって示される。
【０１２８】
【数４１】
2019502309.tif 000043
【０１２９】
また、第２のグループ中の最終共通ａ係数は以下の式によって示される。
【０１３０】
【数４２】
2019502309.tif 000044
【０１３１】
工程１０１２で、第２のグループについての最終共通ａ係数値と、第２のグループについてのＨＥデータフィールド１２０内の有用なＯＦＤＭシンボルの最終共通数と、ＨＥデータフィールド１２０内のＯＦＤＭシンボルの共通数とに基づいて第２のグループ中の各ユーザについての後ＦＥＣパディングビットの数を計算する。たとえば、第２のグループ中のユーザｕについての後ＦＥＣパディングビットの数を以下の式によって計算する。
【０１３２】
【数４３】
2019502309.tif 000045
【０１３３】
方法１０００は工程１０１４でストップする。
【０１３４】
図１１は、本開示の第２の態様の第１の実施形態に係る、ＨＥパケット１００のＨＥ−ＳＩＧ−Ａ１１０の内容を示す。ＨＥ−ＳＩＧ−Ａ１１０には以下のシグナリングフィールドが必要である。
シングルユーザグループが存在するのか、２つのユーザグループが存在するのか否かを示すグループの数
ＰＥディスアンビギュイティ
第１のグループについてのａ係数
第１のグループについてのＬＤＰＣエクストラシンボル
第２のグループについてのａ係数
第２のグループについてのＬＤＰＣエクストラシンボル
Ｍの値
【０１３５】
なお、シングルユーザグループの場合には、第２のグループについてのａ係数のフィールドと、第２のグループについてのＬＤＰＣエクストラシンボルのフィールドと、Ｍの値のフィールドとが確保される。さらに、Ｍの値が予め決められている場合、Ｍの値のフィールドを無視することができる。
【０１３６】
図１２は、本開示の第２の態様の第１の実施形態に係る、ＨＥパケット１００のＨＥ−ＳＩＧ−Ｂ１１２の各ユーザ固有サブフィールドの内容を示す。グループ表示フィールドはＨＥ−ＳＩＧ−Ｂ１１２の各ユーザ固有サブフィールドに存在して、各ユーザが第１のグループと第２のグループとのいずれに属するかを示す。
【０１３７】
＜第５の実施形態＞
本開示の第２の態様の第２の実施形態によれば、ＨＥ−ＳＩＧ−Ａ１１０の第２のグループについてのＬＤＰＣエクストラシンボルのフィールドを１に設定する条件が第２のグループ中の少なくとも１つのユーザについて満たされると仮定する。この結果、ＨＥ−ＳＩＧ−Ａ１１０の第２のグループについてのＬＤＰＣエクストラシンボルのフィールドを無視することができることで、ＨＥ−ＳＩＧ−Ａ１１０におけるシグナリング要求が低くなる。さらにまた、本開示の第２の態様の第１の実施形態とは異なり、第２のグループについての最終共通ａ係数値と第２のグループについてのＨＥデータフィールド１２０内の有用なＯＦＤＭシンボルの最終共通数とを計算するためにＬＤＰＣ符号化プロセスを行う必要がない。
【０１３８】
図１３は、本開示の第２の態様の第２の実施形態に係る、第２のグループについてのパディング関連パラメータを決定する方法例１３００を示す。方法１３００は工程１３０２から開始される。方法１３００の工程１３０４〜工程１３０８は方法１０００の工程１００４〜工程１００８とそれぞれ同じである。
【０１３９】
工程１３１０で、第２のグループについてのＨＥデータフィールド１２０内の有用なＯＦＤＭシンボルの初期最大数と第２のグループについての初期共通ａ係数値とに基づいて第２のグループについてのＨＥデータフィールド１２０内の有用なＯＦＤＭシンボルの最終共通数と第２のグループについての最終共通ａ係数値とを計算する。ＬＤＰＣが第２のグループ中のユーザの少なくとも１つによって用いられる場合、第２のグループについてのＨＥデータフィールド１２０内の有用なＯＦＤＭシンボルの最終共通数は以下の式によって示される。
【０１４０】
【数４４】
2019502309.tif 000046
【０１４１】
第２のグループについての最終共通ａ係数値は以下の式によって示される。
【０１４２】
【数４５】
2019502309.tif 000047
【０１４３】
ＢＣＣが第２のグループ中のすべてのユーザによって用いられる場合、第２のグループについてのＨＥデータフィールド１２０内の有用なＯＦＤＭシンボルの最終共通数は以下の式によって示される。
【０１４４】
【数４６】
2019502309.tif 000048
【０１４５】
第２のグループについての最終共通ａ係数値は以下の式によって示される。
【０１４６】
【数４７】
2019502309.tif 000049
【０１４７】
方法１１００の方法１３１２は方法１０００の工程１０１２と同じである。方法１３００は工程１３１４でストップする。
【０１４８】
＜第６の実施形態＞
本開示の第２の態様の第３の実施形態によれば、第２のグループについての最終共通ａ係数ａＧ２の値は１であり、第２のグループについてのＬＤＰＣエクストラシンボルのフィールドを１に設定する条件は第２のグループ中の少なくとも１つのユーザについて満たされる。この結果、ＨＥ−ＳＩＧ−Ａ１１０の第２のグループについてのａ係数のフィールドと第２のグループについてのＬＤＰＣエクストラシンボルのフィールドとを無視することができることで、ＨＥ−ＳＩＧ−Ａ１１０におけるシグナリング要求が低くなる。さらにまた、本開示の第２の態様の第２の実施形態と同様に、第２のグループについての最終共通ａ係数値と第２のグループについてのＨＥデータフィールド１２０内の有用なＯＦＤＭシンボルの最終共通数とを計算するためにＬＤＰＣ符号化プロセスを行う必要がない。
【０１４９】
図１４は、本開示の第２の態様の第３の実施形態に係る、第２のグループについてのパディング関連パラメータを決定する方法例１４００を示す。方法１４００は工程１４０２から開始される。工程１４０８で、ユーザのグループ化の際に式（４）にしたがって得ることができる、第２のグループグループについてのＨＥデータフィールド１２０内の有用なＯＦＤＭシンボルの初期最大数ＮＳＹＭ＿ｍａｘ＿ｉｎｉｔ，Ｇ２に基づいて第２のグループ中の各ユーザについての前ＦＥＣパディングビットの数を計算する。たとえば、第２のグループ中のユーザｕについての前ＦＥＣパディングビットの数を以下の式によって計算する。
【０１５０】
【数４８】
2019502309.tif 000050
【０１５１】
工程１４１０で、第２のグループについてのＨＥデータフィールド１２０内の有用なＯＦＤＭシンボルの初期最大数に基づいて以下の式によって第２のグループについてのＨＥデータフィールド１２０内の有用なＯＦＤＭシンボルの最終共通数を計算する。
【０１５２】
【数４９】
2019502309.tif 000051
【０１５３】
工程１４１２で、第２のグループについてのＨＥデータフィールド１２０内の有用なＯＦＤＭシンボルの最終共通数とＨＥデータフィールド１２０内のＯＦＤＭシンボルの共通数とに基づいて第２のグループ中の各ユーザについての後ＦＥＣパディングビットの数を計算する。たとえば、第２のグループ中のユーザｕについての後ＦＥＣパディングビットの数を以下の式によって計算する。
【０１５４】
【数５０】
2019502309.tif 000052
【０１５５】
方法１４００は工程１４１４でストップする。
【０１５６】
＜アクセスポイントの構成＞
図１５は、本開示に係るＡＰの構成例を示すブロック図である。ＡＰは、制御部１５０２、スケジュール部１５０４、メッセージ生成部１５０８、メッセージ処理部１５０６、ＰＨＹ処理部１５１０およびアンテナ１５１２を備える。
【０１５７】
アンテナ１５１２は１つのアンテナポートまたは複数のアンテナポートの組み合せを備えることができる。制御部１５０２はＭＡＣプロトコル制御部であり、一般的なＭＡＣプロトコル動作を制御する。ダウンリンク送信のために、スケジュール部１５０４は、ＳＴＡからのチャネル品質指標（ｃｈａｎｎｅｌ  ｑｕａｌｉｔｙ  ｉｎｄｉｃａｔｏｒ）（ＣＱＩ）に基づいて制御部１５０２の制御下で周波数スケジューリングを実行し、ＳＴＡ向けのデータをＲＵに割り当てる。
【０１５８】
スケジュール部１５０４はまた、リソース割当結果をメッセージ生成部１５０８に出力する。メッセージ生成部１５０８により、対応する制御シグナリング（すなわち、共通制御情報、リソース割当情報およびユーザ別割当情報）とスケジューリングされたＳＴＡ向けのデータとが生成されて、ＰＨＹ処理部１５１０によってＨＥパケットに形成され、アンテナ１５１２を通じて送信される。特に、制御部１５０２により、本開示の様々な態様の上述の実施形態に係るパディングおよびＰＥ関連パラメータが計算されて、本開示の様々な態様の上述の実施形態に係るパディングおよびパケット拡張を含むＨＥパケットの形成を誘導するＰＨＹ処理部１５１０に渡される。
【０１５９】
他方、メッセージ処理部１５０６は、制御部１５０２の制御下でＳＴＡからアンテナ１５１２を通じて受信されるＣＱＩを解析して、スケジュール部１５０４および制御部１５０２に渡す。これらのＣＱＩはＳＴＡから通知される受信品質情報である。ＣＱＩは「ＣＳＩ」（チャネル状態情報（Ｃｈａｎｎｅｌ  Ｓｔａｔｅ  Ｉｎｆｏｒｍａｔｉｏｎ））と呼ばれる場合もある。
【０１６０】
＜ＳＴＡの構成＞
図１６は、本開示に係るＳＴＡの構成例を示すブロック図である。ＳＴＡは、制御部１６０２、メッセージ生成部１６０４、メッセージ処理部１６０６、ＰＨＹ処理部１６０８およびアンテナ１６１０を備える。
【０１６１】
制御部１６０２はＭＡＣプロトコル制御部であり、一般的なＭＡＣプロトコル動作を制御する。アンテナ１６１０は１つのアンテナポートまたは複数のアンテナポートの組み合せを備えることができる。ダウンリンク送信のために、アンテナ１６１０はＨＥパケットを含むダウンリンク信号を受信し、メッセージ処理部１６０６は、受信ＨＥパケットに含まれる制御シグナリングからその指定ＲＵおよびその固有割当情報を識別し、その固有割当情報にしたがってその指定ＲＵで受信ＨＥパケットからその固有データをデコードする。受信ＨＥパケットに適用されるパディングおよびパケット拡張は、本開示の様々な態様の上述の実施形態に係るＡＰによって形成されている。メッセージ処理部１６０６は、アンテナ１６１０を通じて受信したＨＥパケットからチャネル品質を推定し、制御部１６０２に渡す。メッセージ生成部１６０４によりＣＱＩメッセージが生成されて、ＰＨＹ処理部１６０８によって形成され、アンテナ１６１０を通じて送信される。
【０１６２】
前述の実施形態では、本開示は例としてハードウェアを用いて構成されているが、本開示はハードウェアと協働するソフトウェアによって設けることもできる。
【０１６３】
さらに、実施形態の説明で用いられている機能ブロックは、集積回路であるＬＳＩデバイスとして典型的には実施される。機能ブロックを個別のチップとして形成してもよいし、機能ブロックの一部または全体を１つのチップに集積してもよい。用語「ＬＳＩ」を本明細書で用いているが、集積のレベルに応じて用語「ＩＣ」、「システムＬＳＩ」、「スーパーＬＳＩ」または「ウルトラＬＳＩ」も用いてもよい。
【０１６４】
さらに、回路集積はＬＳＩに限定されず、ＬＳＩ以外の専用回路または汎用プロセッサによって実現してもよい。ＬＳＩの作製後、プログラム可能なフィールド・プログラマブル・ゲート・アレイ（ｆｉｅｌｄ  ｐｒｏｇｒａｍｍａｂｌｅ  ｇａｔｅ  ａｒｒａｙ）（ＦＰＧＡ）またはＬＳＩの回路セルの接続の再構成とセッティングとが可能である再構成可能なプロセッサを用いてもよい。
【０１６５】
半導体技術またはその技術から派生する他の技術の進歩の結果としてＬＳＩに代わる回路集積技術が現れる場合、機能ブロックはこのような技術を用いて集積することができる。別の可能性としては、バイオ技術および／またはその他技術の適用がある。
【産業上の利用可能性】
【０１６６】
本開示は、無線通信システムにおいてデータをフォーマットして送信する方法に適用することができる。
【符号の説明】
【０１６７】
１５０２  制御部
１５０４  スケジュール部
１５０６  メッセージ処理部
１５０８  メッセージ生成部
１５１０  ＰＨＹ処理部
１５１２  アンテナ
１６０２  制御部
１６０４  メッセージ生成部
１６０６  メッセージ処理部
１６０８  ＰＨＹ処理部
１６１０  アンテナ
【図１】
2019502309.tif 000053
【図２】
2019502309.tif 000054
【図３】
2019502309.tif 000055
【図４】
2019502309.tif 000056
【図５】
2019502309.tif 000057
【図６】
2019502309.tif 000058
【図７】
2019502309.tif 000059
【図８】
2019502309.tif 000060
【図９】
2019502309.tif 000061
【図１０】
2019502309.tif 000062
【図１１】
2019502309.tif 000063
【図１２Ａ】
2019502309.tif 000064
【図１２Ｂ】
2019502309.tif 000065
【図１３】
2019502309.tif 000066
【図１４】
2019502309.tif 000067
【図１５】
2019502309.tif 000068
【図１６】
2019502309.tif 000069
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
複数のユーザの各々向けの送信信号を生成する工程と、
生成された前記送信信号を送信する工程と、
を備え、
前記送信信号はデータフィールドについての複数のＯＦＤＭシンボルを含み、前記複数のＯＦＤＭシンボルの最後のＯＦＤＭシンボルは４つのセグメントに分割することができ、前記送信信号を生成する前記工程は、
前記複数のユーザの各々について、前記４つのセグメントの１つに関連する初期パディング係数値を計算して、前記複数のユーザの各々について、前記データフィールドについてのＯＦＤＭシンボルの初期数を計算する工程と、
前記複数のユーザから最長パケット期間を有するユーザを決定する工程と、
前記最長パケット期間を有する前記決定されたユーザの前記初期パディング係数値である共通パディング係数値を決定する工程と、
前記最長パケット期間を有する前記決定されたユーザの前記データフィールドについてのＯＦＤＭシンボルの前記初期数であるＯＦＤＭシンボルの共通数を決定する工程と、
前記複数のユーザの各々について、前記最後のＯＦＤＭシンボルの可能な４つの境界の、前記決定された共通パディング係数値によって表現される１つに向かって前ＦＥＣパディングビットを追加する工程と、
前記最後のＯＦＤＭシンボルの残りの１つ以上のセグメントに後ＦＥＣパディングビットを追加する工程と、
を含む、送信方法。
【請求項２】
前記前ＦＥＣパディングビットの数は、前記複数のユーザの各々について、前記決定された共通パディング係数値に基づいて決定される、請求項１に記載の送信方法。
【請求項３】
前記データフィールドの情報ビットと前記追加された前ＦＥＣパディングビットとはバイナリ畳み込み符号（ＢＣＣ）または低密度パリティ符号（ＬＤＰＣ）のいずれかを用いて符号化される、請求項１に記載の送信方法。
【請求項４】
前記データフィールドは情報ビットを含み、前記複数のユーザの各々についての前記初期パディング係数値は前記情報ビットに基づいて決定される、請求項１に記載の送信方法。
【請求項５】
前記後ＦＥＣパディングビットの数は前記共通パディング係数値に基づいて決定される、請求項１に記載の送信方法。
【請求項６】
前記複数のユーザが第１のグループと第２のグループとに分類され、かつ、ユーザの前記第２のグループのパケット期間がユーザの前記第１のグループよりも短い場合、
前記前ＦＥＣパディングビットは前記第１のグループについての前記送信信号中の前記最後のＯＦＤＭシンボルの４つのセグメントの１つの終端に向かって追加され、かつ、
前記前ＦＥＣパディングビットは、前記最後のＯＦＤＭシンボル以外のＯＦＤＭシンボルの４つのセグメントのうちの１つの終端に向かって追加され、かつ、前記前ＦＥＣパディングビットは前記第２のグループについての前記送信信号中の前記最後のＯＦＤＭシンボルに含まれない、
請求項１に記載の送信方法。
【請求項７】
複数のユーザの各々向けの送信信号を生成し、前記送信信号はデータフィールドについての複数のＯＦＤＭシンボルを含み、前記複数のＯＦＤＭシンボルの最後のＯＦＤＭシンボルは４つのセグメントに分割することができる送信信号生成部と、
生成された前記送信信号を送信する送信部と、
を備え、
前記送信信号生成部は、
前記複数のユーザの各々について、前記４つのセグメントの１つに関連する初期パディング係数値を計算する工程と、
前記複数のユーザから最長パケット期間を有する初期ユーザを決定する工程と、
前記決定された初期ユーザの前記初期パディング係数値である共通パディング係数値を決定する工程と、
前記決定された初期ユーザの前記データフィールドについてのＯＦＤＭシンボルの数であるＯＦＤＭシンボルの共通数を決定する工程と、
前記複数のユーザの各々について、前記最後のＯＦＤＭシンボルの可能な４つの境界の、前記決定された共通パディング係数値によって表現される１つに向かって前ＦＥＣパディングビットを追加する工程と、
前記最後のＯＦＤＭシンボルの残りの１つ以上のセグメントに後ＦＥＣパディングビットを追加する工程と、
によって、前記送信信号を生成する、送信装置。
【請求項８】
前記前ＦＥＣパディングビットの数は、前記複数のユーザの各々について、前記決定された共通パディング係数値に基づいて決定される、請求項７に記載の送信装置。
【請求項９】
前記データフィールドの情報ビットと前記追加された前ＦＥＣパディングビットとはバイナリ畳み込み符号（ＢＣＣ）または低密度パリティ符号（ＬＤＰＣ）のいずれかを用いて符号化される、請求項７に記載の送信装置。
【請求項１０】
前記データフィールドは情報ビットを含み、前記複数のユーザの各々についての前記初期パディング係数値は前記情報ビットに基づいて決定される、請求項７に記載の送信装置。
【請求項１１】
前記後ＦＥＣパディングビットの数は前記共通パディング係数値に基づいて決定される、請求項７に記載の送信装置。
【請求項１２】
前記複数のユーザが第１のグループと第２のグループとに分類され、かつ、ユーザの前記第２のグループのパケット期間がユーザの前記第１のグループよりも短い場合、
前記前ＦＥＣパディングビットは前記第１のグループについての前記送信信号中の前記最後のＯＦＤＭシンボルの４つのセグメントの１つの終端に向かって追加され、かつ、
前記前ＦＥＣパディングビットは、前記最後のＯＦＤＭシンボル以外のＯＦＤＭシンボルの４つのセグメントのうちの１つの終端に向かって追加され、かつ、前記前ＦＥＣパディングビットは前記第２のグループについての前記送信信号中の前記最後のＯＦＤＭシンボルに含まれない、
請求項７に記載の送信装置。
【手続補正３】
【補正対象書類名】明細書
【補正対象項目名】０００７
【補正方法】変更
【補正の内容】
【０００７】
１つの包括的な態様において、ここで開示される技術は、複数のユーザの各々向けの送信信号を生成する工程と、生成された送信信号を送信する工程と、を備え、送信信号はデータフィールドについての複数のＯＦＤＭシンボルを含み、複数のＯＦＤＭシンボルの最後のＯＦＤＭシンボルは４つのセグメントに分割することができ、送信信号を生成する工程は、複数のユーザの各々について、４つのセグメントの１つに関連する初期パディング係数値を計算して、複数のユーザの各々について、データフィールドについてのＯＦＤＭシンボルの初期数を計算する工程と、複数のユーザから最長パケット期間を有するユーザを決定する工程と、最長パケット期間を有する決定されたユーザの初期パディング係数値である共通パディング係数値を決定する工程と、最長パケット期間を有する決定されたユーザのデータフィールドについてのＯＦＤＭシンボルの初期数であるＯＦＤＭシンボルの共通数を決定する工程と、複数のユーザの各々について、最後のＯＦＤＭシンボルの可能な４つの境界の、決定された共通パディング係数値によって表現される１つに向かって前ＦＥＣパディングビットを追加する工程と、最後のＯＦＤＭシンボルの残りの１つ以上のセグメントに後ＦＥＣパディングビットを追加する工程と、を含む、送信方法を特徴とする。
【国際調査報告】
2019502309.tif 000070
2019502309.tif 000071